(57)【要約】【課題】番組の録画予約で操作の衝突が生じた場合であっても、円滑な録画予約操作が可能な放送受信装置を提供する。【解決手段】複数のユーザ毎にユーザプロファイルを記憶するユーザプロファイル管理部１８と、複数のユーザプロファイルの中から必要とされているユーザプロファイルを選択するユーザプロファイル選択部１７とを備える。ユーザプロファイル選択部１７により、各ユーザに対するユーザプロファイルを選択し、選択したユーザプロファイルを参照して、個々のユーザの属性に合わせた選局操作を行う。【選択図】      図１
2004260447.tif 000002
【特許請求の範囲】
【請求項１】
複数のユーザ毎にユーザプロファイルを記憶するユーザプロファイル管理部と、
前記複数のユーザプロファイルの中から必要とされているユーザプロファイルを選択するユーザプロファイル選択部とを備え、
前記ユーザプロファイル選択部により、各ユーザに対するユーザプロファイルを選択し、選択したユーザプロファイルを参照して、個々のユーザの属性に合わせた選局操作を行うことを特徴とする放送受信装置。
【請求項２】
特定の管理者ユーザに対応する管理者ユーザプロファイルを備え、
前記管理者ユーザプロファイルを参照している時にのみ、前記各ユーザプロファイルの視聴制限に関するデータを設定および変更できることを特徴とする請求項１に記載の放送受信装置。
【請求項３】
前記ユーザプロファイルとリンクして、ユーザが行った番組の録画予約情報を記憶する予約管理部を備え、
同一の時間帯に別々の番組に対する複数の録画予約が行われた場合に、どのユーザが番組の録画予約操作を行っているかを提示することを特徴とする請求項１または２に記載の放送受信装置。
【請求項４】
前記ユーザプロファイルの一部として生年月日を登録し、登録された生年月日および現在の日付から年齢を自動計算する年齢自動計算手段を備えたことを特徴とする請求項１〜３のうちいずれか１項に記載の放送受信装置。
【請求項５】
前記年齢自動計算手段によりユーザの年齢が加算された結果、番組視聴制限を解除される年齢になった場合であっても、前記管理者ユーザが制限を解除するまでは、番組視聴制限を解除しないことを特徴とする請求項４に記載の放送受信装置。
【請求項６】
いずれのユーザもログインしていない状態で参照されるユーザプロファイルとして、視聴年齢制限を行わない番組及び課金を行わない番組のみを視聴するための共通ユーザプロファイルを備えたことを特徴とする請求項１〜５のうちいずれか１項に記載の放送受信装置。
【発明の詳細な説明】
【０００１】
【発明の属する技術分野】
本発明は、放送受信装置に関し、詳細には、複数のユーザプロファイルを管理する機能を備えたデジタル放送受信装置に関する。
【０００２】
【従来の技術】
従来、複数のユーザプロファイルを作成するための放送受信装置が種々提案されている。
【０００３】
例えば、複数のユーザプロファイルを遠隔制御する技術が提案されている。この技術では、テレビ番組に対するアクセスはリモコン（遠隔制御）装置を使用して制御され、番組制御回路はリモコン装置に組込まれるようになっている。これにより、ユーザ固有である番組アクセスを可能にし、各視聴者は、自らが使用しているリモコン装置のメモリ内に具現された番組制御に従ってのみ、その視聴が制限される。
【０００４】
すなわち、番組アクセスを確立するという従来の制限を回避し、全てのユーザが、他の視聴者の制限による影響を受けずに、自らが許容された番組全てにアクセスすることが可能になる。
【０００５】
上記従来の技術をさらに具体的に説明する。上記従来の技術は、リモコン装置を使用してテレビ番組を制御する方法を提供するもので、リモコン装置は、ユーザ入力インタフェース、プロセッサ、メモリを備えている。そして、リモコン装置のメモリにユーザ固有ＩＤを記憶するステップと、テレビ番組を制御する番組制御データをリモコン装置のメモリに独立的に記憶するステップと、リモコン装置に記憶されたユーザ固有ＩＤおよび番組制御データに従ってリモコン装置を介してテレビ番組へのアクセスを独立的に制御するステップとを含むことにより、リモコン装置を使用してテレビ番組を制御する。
【０００６】
さらに、マスタ制御ユーザＩＤを照合し、照合確認時にはリモコン装置を使用した番組への無制限のアクセスを所定時間間隔にわたり許可するステップを含んでいる。テレビ番組を制御する方法の別の側面によれば、番組視聴を要求するユーザ入力データはリモコン装置内に記憶された番組制御データと比較され、もし入力データが合致すればユーザは番組へのアクセスを拒絶される。
【０００７】
ユーザが適切なユーザＩＤを入力すると共にユーザＩＤが照合確認されたとき、ユーザはリモコン装置のメモリに記憶された番組制御データを変更することができる。
【０００８】
さらに、独立したユーザプロファイル・データがリモコン装置に記憶される。ユーザプロファイル・データは、リモコン装置を介して番組に対するユーザ・カスタマイズ可能なアクセスを提供する。各ユーザは、ユーザプロファイルを使用してパーソナル化された視聴環境を確立する。リモコン装置は、常に有効な１つのユーザプロファイルを有している。あるいは、リモコン装置は、１つ以上のユーザプロファイルを有し、当該任意の１つのユーザプロファイルはユーザ固有ＩＤを入力するユーザにより起動される。ここで、入力されたユーザＩＤが、ユーザプロファイルと関連付けて記憶されたユーザＩＤと合致すれば、照合確認回路は入力されたユーザＩＤに対応するユーザプロファイルを起動する（特許文献１参照）。
【０００９】
【特許文献１】
特表２００１−５０６０６９号公報
【００１０】
【発明が解決しようとする課題】
しかしながら、上記従来の技術のように、ユーザプロファイルをリモコン装置に記憶する番組制御システムでは、各ユーザは番組録画予約に関する情報を互いに知ることができない。このため、番組の録画予約で操作の衝突が生じた場合に効率よく対処することが困難であるという問題があった。
【００１１】
また、その他の一般的な従来技術では、番組視聴制限に関わる項目として年齢を入力することが多いが、この方法では毎年年齢データを入力し直さなければならず、操作が面倒である。さらに、ユーザ本人により自らのデータを入力可能とした場合には、制限を回避するために故意に偽りのデータを入力するおそれがあり、年齢に基づく番組視聴制限を行う意味がなくなってしまう。
【００１２】
本発明は、上述した事情に鑑み提案されたもので、円滑な録画予約操作が可能な放送受信装置を提供することを目的とする。
【００１３】
また、本発明は、年齢に基づく番組視聴制限を行う場合に、年齢に関するデータ入力の手間を省くとともに、正確な年齢データを得ることが可能な放送受信装置を提供することを目的とする。
【００１４】
さらに、本発明は、管理者ユーザのみが視聴制限に関するデータ入力を行うことが可能な放送受信装置を提供することを目的とする。
【００１５】
【課題を解決するための手段】
本発明に係る放送受信装置は、上述した目的を達成するため、以下の特徴点を備えている。
【００１６】
すなわち、本発明に係る放送受信装置は、複数のユーザ毎にユーザプロファイルを記憶するユーザプロファイル管理部と、前記複数のユーザプロファイルの中から必要とされているユーザプロファイルを選択するユーザプロファイル選択部とを備え、前記ユーザプロファイル選択部により、各ユーザに対するユーザプロファイルを選択し、選択したユーザプロファイルを参照して、個々のユーザの属性に合わせた選局操作を行うことを特徴とするものである。
【００１７】
このような構成からなる放送受信装置では、複数のユーザ毎に設定されたユーザプロファイルを参照することにより、ユーザ毎に適切な選局操作を行うことができる。
【００１８】
また、本発明に係る放送受信装置は、前記構成に加えて、特定の管理者ユーザに対応するユーザプロファイルを備え、前記管理者ユーザプロファイルを参照している時にのみ、前記各ユーザプロファイルの視聴制限に関するデータを設定および変更できることを特徴とするものである。
【００１９】
このような構成からなる放送受信装置では、特定の管理者ユーザのみが各ユーザプロファイルの視聴制限に関するデータを設定変更することができるので、適切な視聴制限の管理を行うことができる。
【００２０】
また、本発明に係る放送受信装置は、前記構成に加えて、前記ユーザプロファイルとリンクし、ユーザが行った番組の録画予約情報を記憶する予約管理部を備え、同一の時間帯に別々の番組に対する複数の録画予約が行われた場合に、どのユーザが番組の録画予約操作を行なっているかを提示することを特徴とするものである。
【００２１】
ここで、録画予約操作の提示は、例えば、ユーザに対するメッセージや電子番組表（ＥＰＧ）及び受信機操作メニュー等を表示するＵＩ表示部により行われる。
【００２２】
このような構成からなる放送受信装置では、番組の録画予約で操作の衝突が生じた場合にこれを提示することにより、円滑な録画予約操作を行うことが可能となる。また、本発明に係る放送受信装置は、前記構成に加えて、前記ユーザプロファイルの一部として生年月日を登録し、登録された生年月日および現在の日付から年齢を自動計算する年齢自動計算手段を備えたことを特徴とするものである。ここで、年齢自動計算手段は、例えば、放送受信装置全体の動作を制御する制御部により構成される。
【００２３】
このような構成からなる放送受信装置では、年齢自動計算手段により自動的に年齢が計算されるので、年齢データに関するデータ入力の手間を省くことができるとともに、正確な年齢データの管理が可能となる。
【００２４】
また、本発明に係る放送受信装置は、前記構成に加えて、前記年齢自動計算手段によりユーザの年齢が加算された結果、番組視聴制限を解除される年齢になった場合であっても、前記管理者ユーザが制限を解除するまでは、番組視聴制限を解除しないことを特徴とするものである。
【００２５】
このような構成からなる放送受信装置では、番組視聴制限を解除するか否かの判断が管理者ユーザに任されるため、さらに適切な番組視聴制限を行うことが可能となる。
【００２６】
また、本発明に係る放送受信装置は、前記構成に加えて、いずれのユーザもログインしていない状態で参照される番組のユーザプロファイルとして、視聴年齢制限を行わない番組及び課金を行わない番組のみを視聴するための共通ユーザプロファイルを備えたことを特徴とするものである。
【００２７】
このような構成からなる放送受信装置では、視聴年齢制限を行わない番組及び課金を行わない番組に関して容易に視聴を行うことができ、さらに使い勝手が向上する。
【００２８】
【発明の実施の形態】
以下、図面に基づいて、本発明に係る放送受信装置の実施形態を説明する。
【００２９】
図１は、本発明の実施形態に係る放送受信装置の構成を示すブロック図である。
【００３０】
本発明の実施形態に係る放送受信装置は、図１に示すように、放送の電波を受信するアンテナ部１０、受信した電波の検波を行うチューナー部１１、電波から抽出された映像データと音声データを復号した後に出力するディスプレイやスピーカ等からなる映像・音声出力部１２、ユーザが行った番組の録画予約情報を記憶する予約管理部１３、放送受信装置全体の動作を制御する制御部１４、ユーザからの入力操作を受けるユーザ入力受付部１５、ユーザに対するメッセージや電子番組表（ＥＰＧ）及び受信機操作メニュー等を表示するＵＩ表示部１６、複数のユーザプロファイルの中から必要とされているユーザプロファイルを選択するユーザプロファイル選択部１７、各ユーザのユーザプロファイルを記憶するユーザプロファイル管理部１８から構成されている。
【００３１】
上記構成からなる放送受信装置が、デジタル放送を受信可能な放送受信装置である場合を例にとって、その動作を説明する。
【００３２】
アンテナ部１０によって受信されたデジタル放送電波は、チューナー部１１で検波され、映像・音声出力部１２に出力される。
【００３３】
次に、番組の視聴及び録画に利用されるユーザプロファイルを、ユーザプロファイル管理部１８に登録する場合の動作について説明する。
【００３４】
ユーザプロファイルを構成する項目には、図２に示すように、ユーザ本人が設定を行うユーザ名（ＩＤ、ニックネームなど）、パスワード、ワンタッチ選局キーへのチャンネル割当の各項目と、管理者ユーザが各ユーザに対して設定する生年月日、１ヶ月当たりの有料放送利用限度額、１日当たりの視聴時間の各項目と、システムが自動更新する現在の有料放送利用合計額、現在の合計視聴時間、ユーザが行った番組録画予約データを示すＩＤの各項目などがある。
【００３５】
なお、ユーザプロファイルを構成する項目は、図２に示すものに限定されるものではなく、いずれかの項目を省略したり、他の項目を追加してもよい。
【００３６】
また、通常デジタル放送で選局する場合、３桁から５桁のチャンネル番号を入力することになる。このため、頻繁に視聴するチャンネルの番号をあるリモートコントローラのキーに割り当てておくことにより、１回のキー操作だけで選局できるようにするものが、ワンタッチ選局キーである。
【００３７】
上記ユーザプロファイルは、１人の管理者ユーザと、複数の一般ユーザについて記憶される。最初に、管理者ユーザが自らのユーザプロファイルの全項目を設定・登録する。次に、一般ユーザが自らのユーザ名とパスワード、ワンタッチ選局キーへの割当を設定する。以降のユーザ名・パスワード・キー割当の変更には、各ユーザ自身のパスワードの入力が必要となる。一般ユーザのユーザ名とパスワードが設定された後、管理者ユーザが各一般ユーザの生年月日と利用限度額、視聴時間などを設定する。生年月日、利用限度額、視聴時間の設定・変更には、管理者ユーザのパスワード入力が必要となり、一般ユーザは自分では設定・変更することができない。
【００３８】
なお、管理者ユーザのみが設定変更できる項目は、上記したものに限定されず、いずれかの項目を省略したり、他の項目を追加してもよい。
【００３９】
次に、図４及び図５を参照して、上記のように設定したユーザプロファイルを番組視聴時に利用する場合の手順について説明する。
【００４０】
図４に示すように、ユーザは、放送受信装置の利用開始時にユーザ入力受付部１５を介してパスワードを入力する（ステップＳ１０１）。入力されたパスワードは制御部１４を介してユーザプロファイル選択部１７に渡され、ユーザプロファイル選択部１７は入力されたパスワードと一致するパスワードを、ユーザプロファイル管理部１８に登録されている各ユーザプロファイル中のパスワードと比較する（ステップＳ１０２）。
【００４１】
ここで、入力されたパスワードを含むユーザプロファイルが存在しなければ（ステップＳ１０２；Ｎｏ）、ユーザに対してパスワードの再入力を要求する（ステップＳ１０３）。一方、入力されたパスワードを含むユーザプロファイルが存在すれば（ステップＳ１０２；Ｙｅｓ）、システムは、これ以降はこのユーザプロファイルを参照して番組視聴制御を行う（ステップＳ１０４）。
【００４２】
ここで、ユーザがワンタッチ選局キーのいずれかを押下すると、このユーザのユーザプロファイルにあるワンタッチ選局キー割当情報に従って選局が行われる。このように、各ユーザはワンタッチ選局キーを使って所望するチャンネルを簡単に選局することができる。
【００４３】
また、図５に示すように、放送提供者側から視聴年齢制限が課せられている番組（または管理者ユーザが特定の一般ユーザに対して視聴制限を課した番組やチャンネルなど）を視聴する際は（ステップＳ２０１）、制御部１４がユーザプロファイルに登録されている生年月日と現在の日付を比較して年齢を計算し（ステップＳ２０２）、さらにその番組の制限年齢と比較する（ステップＳ２０３）。
【００４４】
ここで、番組に課せられている条件をクリアしている場合（ステップＳ２０３；Ｙｅｓ）は、その番組を視聴することができ（ステップＳ２０４）、条件を満たしていない場合（ステップＳ２０３；Ｎｏ）には、ＵＩ表示部１６に警告画面等を表示した上、視聴させない。この場合、年齢制限に抵触する番組やチャンネルは、最初からＥＰＧに表示しないようにしてもよい。なお、ワンタッチ選局キーに登録できるチャンネルも、ユーザが年齢制限をクリアできているものに限られる。
【００４５】
上記の状況から所定の日数が経過して年齢制限をクリアできた場合には、自動的に制限が解除され、視聴制限が行われていた番組を自由に視聴できるようになる。この場合、年齢ではなく生年月日を登録しておくことによって、年齢の変更操作が不要になる上、一日の遅れもなく年齢の変更を反映することができる。
【００４６】
また、管理者ユーザ（例えば親）の確認を得てから制限を解除するようにしてもよい。例えば、一般ユーザ（例えば子供）の誰かが誕生日を迎えた結果、現在課せられている年齢制限をクリアできたとする。ここで管理者ユーザがシステムにログインしたら、制御部１４は子供が誕生日を迎えて年齢制限をクリアしたことを、ＵＩ表示部１６を介して通知する。そして、さらに制限を延長するかどうかを親に尋ねる。親は、このまま制限を解除するか否か、制限を延長する場合には延長期間を設定することができる。
【００４７】
上述した年齢制限が行われている番組の選局処理は、有料番組を視聴する場合にも応用することができる。すなわち、有料番組の選局操作を行うと、制御部１４は、ユーザプロファイルに記憶されている現時点での利用金額に当該番組の料金を足した金額を計算し、その額と利用限度額を比較する。
【００４８】
ここで、限度額以内であれば、その番組を視聴することができ、限度額を超えている場合は、ＵＩ表示部１６に警告画面等を表示した上、視聴させない。
【００４９】
視聴時間に関しては、ユーザごとに視聴時間を累計してゆき、限度時間を越えた時点で番組コンテンツを出力しない等の処理を行えばよい。
【００５０】
次に、図３及び図６を参照して、ユーザプロファイルを番組録画予約操作に利用した場合の手順について説明する。
【００５１】
この場合、デジタル放送受信装置本体が持つＥＰＧ及び予約管理部１３において、図３に示すような形式で記憶されている番組予約データを利用する。
【００５２】
図６に示すように、あるユーザがユーザ入力受付部１５を介して番組の録画予約を設定すると（ステップＳ３０１）、制御部１４はこの番組予約に関する情報を予約管理部１３に記憶されている番組予約情報と比較する（ステップＳ３０２）。
【００５３】
ここで、入力した番組予約と同じ時間帯に別の番組録画予約が入っていなければ（ステップＳ３０２；Ｎｏ）、番組予約登録は，ユーザの要求通りに行われる（ステップＳ３０３）。一方、入力した番組予約と同じ時間帯に別の番組録画予約が入っている場合（ステップＳ３０２；Ｙｅｓ）には、次に録画するチャンネルの比較を行う（ステップＳ３０４）。
【００５４】
ここで、チャンネルも一致する場合（ステップＳ３０４；Ｙｅｓ）には、既に同じ番組が別のユーザによって予約済みであることをユーザに通知する（ステップＳ３０５）。一方、チャンネルが一致しない場合（ステップＳ３０４；Ｎｏ）には、後から入力した番組に関して番組予約を行うことができない。この際、制御部１４は、予約管理部１３に登録されている予約登録済みデータに基づき、先の予約を行ったユーザのＩＤ（ニックネームでも可）を取り出して表示し、「ユーザ○○の録画予約が入っています」などのメッセージを提示する（ステップＳ３０６）。
【００５５】
その後の処理は、ユーザ同士の直接交渉でどちらの予約を優先するかを決定すればよい。あるいは、予め全ユーザの優先順位を決めてユーザプロファイルの一項目としておき、その優先順位に従ってシステムが自動的に予約データを入れ替えてもよい。さらに、ユーザが予約操作を行う前に、予約一覧を表示して確認してもよい。
【００５６】
このように、ユーザプロファイルを利用して番組録画予約データを登録することにより、所定の予約を行ったユーザを他のユーザに知らせることができ、その結果、複数のユーザの予約希望時間帯が重なった場合であっても、交渉すべきユーザを特定することができる。
【００５７】
さらに、上記処理に続いて、ユーザに対してキャンセル待ちを行うかどうかを尋ね（ステップＳ３０７）、ユーザがキャンセル待ちを希望する場合（ステップＳ３０７；Ｙｅｓ）には、後から設定を試みた予約希望データをとりあえず放送受信装置本体内に記憶しておく（ステップＳ３０８）。この予約希望データは、図３に示すキャンセル待ちデータのように予約ＩＤを付与されて登録される。この予約ＩＤは、キャンセル待ちの対象である予約登録済みデータの「キャンセル待ちデータＩＤ」欄に書き込まれる。
【００５８】
次に、図７を参照して、予約キャンセル操作の手順について説明する。
【００５９】
図７に示すように、キャンセル待ちが行われた後に、先の予約に対するキャンセル操作が行われた場合（ステップＳ４０１）に、制御部１４は、「キャンセル待ちデータＩＤ」欄に予約ＩＤが書き込まれているか否かを判断する（ステップＳ４０２）。
【００６０】
ここで、「キャンセル待ちデータＩＤ」欄に予約ＩＤが書き込まれている場合（ステップＳ４０２；Ｙｅｓ）には、記憶されているキャンセル待ちデータＩＤを持つキャンセル待ちデータを予約登録済みデータの欄に移動して正式な予約データとして登録し（ステップＳ４０３）、元の予約データを削除する（ステップＳ４０４）。
【００６１】
このように、予約関連データに変更があった場合、ユーザプロファイルの予約ＩＤ欄には、ＩＤと共に変更内容やユーザへの通知が必要であることを記述しておき、このキャンセル待ちデータの登録を行ったユーザが次に何らかのリモコン操作を行なったら（パスワードの入力を行ったら）、ユーザプロファイルの予約ＩＤ欄を参照してＵＩ表示部１６にキャンセル待ちデータを正式に予約登録したことを伝えるメッセージを表示する。
【００６２】
そして、一度通知を行ったら、予約ＩＤ欄の情報は予約ＩＤのみとし、特記事項は削除する。このように、予約登録済みデータとキャンセル待ちデータの双方を登録できるようにし、さらにそれぞれの予約希望時間帯の重なるデータをリンクさせることにより、番組録画予約がキャンセルされた場合には、キャンセル待ちをしている録画予約希望データを予約登録済みデータとして自動的に登録することができる。
【００６３】
また、ユーザプロファイルと番組録画予約情報をリンクさせることにより、キャンセル待ちデータが自動的に予約登録済みデータとして登録された場合には、キャンセル待ちをしていたユーザに対して速やかに通知を行うことができる。
【００６４】
さらに、ユーザがデジタル放送番組の視聴及びデジタル放送受信装置の操作を止める時のために、リモートコントローラにログオフボタン等を備えてもよい。この場合、どのユーザもログインしていない状態では、年齢制限や課金のない番組のみを視聴及びワンタッチ選局キー登録できるようにすればよい。また、ワンタッチ選局キーには家族がそろったときなどに見ることの多いチャンネル番号を登録しておけばよい。
【００６５】
具体的には、図２に示すユーザプロファイルと同形式の共通プロファイルを１つ用意しておき、ユーザ種別：共通、ユーザ名：ｆａｍｉｌｙなどとする。そして、共通ユーザとして放送受信装置を使用している間は、ワンタッチ選局キー割り当てと番組録画予約を行うことができるようにして、それ以外のユーザプロファイル項目設定はできないようにする。
【００６６】
このような共通ユーザプロファイルを用意しておくことによって、家族がそろって番組を視聴する際にはわざわざ誰かがログインしなくても家族向けの番組選局操作を行うことができる。さらに、有料放送番組を視聴する場合には、管理者ユーザのパスワードを入力すれば視聴できるようにしてもよい。
【００６７】
【発明の効果】
本発明に係る放送受信装置は上述した構成を備えているため、以下の効果を奏することができる。
【００６８】
すなわち、本発明に係る放送受信装置によれば、ユーザ別のユーザプロファイルを用意することにより、例えば、ユーザ毎に異なるワンタッチ選局キー割当てを行うことができる等、ユーザ別のユーザプロファイルに基づいて、個々のユーザに対して使い勝手のよい選局を行うことが可能となる。
【００６９】
また、ユーザプロファイルに登録されるデータのうち、年齢、有料放送利用限度額、視聴時間等の視聴制限に関する項目は、管理者ユーザのみが全ユーザに対して設定できるようにすることにより、例えば、親が子供の視聴条件を完全にコントロールすることが可能になる。
【００７０】
また、ユーザプロファイルと番組録画予約データをリンクさせ、さらに番組録画予約データは予約操作を行ったユーザ名と共に登録することにより、複数の予約希望が同一時間帯に集中した場合にも対処することができ、さらに使い勝手のよい選局を行うことが可能となる。
【図面の簡単な説明】
【図１】本発明の実施形態に係る放送受信装置の構成を示すブロック図である。
【図２】本発明の実施形態に係る放送受信装置で使用するユーザプロファイルの構成を示す模式図である。
【図３】本発明の実施形態に係る放送受信装置で使用する番組予約管理データの構成を示す模式図である。
【図４】本発明の実施形態に係る放送受信装置で参照するユーザプロファイルの決定手順を示すフローチャート図である。
【図５】本発明の実施形態に係る放送受信装置において、年齢制限のある番組を視聴する際の手順を示すフローチャート図である。
【図６】本発明の実施形態に係る放送受信装置において、番組予約を行う際の手順を示すフローチャート図である。
【図７】本発明の実施形態に係る放送受信装置において、番組予約を取り消す際の手順を示すフローチャート図である。
【符号の説明】
１０  アンテナ部
１１  チューナー部
１２  映像・音声出力部
１３  予約管理部
１４  制御部
１５  ユーザ入力受付部
１６  ＵＩ表示部
１７  ユーザプロファイル選択部
１８  ユーザプロファイル管理部
【図１】
2004260447.tif 000003
【図２】
2004260447.tif 000004
【図３】
2004260447.tif 000005
【図４】
2004260447.tif 000006
【図５】
2004260447.tif 000007
【図６】
2004260447.tif 000008
【図７】
2004260447.tif 000009